(57)【特許請求の範囲】
【請求項１】
ロータブレード後縁(２)を有する、風力エネルギー装置用のロータブレード（１）において、
ロータブレード（１）の横断面がロータブレード後縁（２）に向けてテーパ付けされ、又、ロータブレード後縁（２）の近傍にある、ロータブレード（１）のロータブレード後縁部（１４）が、大略平坦な一方の側面（６）を有し、且つ、ロータブレード後縁部（１４）において、ロータブレード（１）のテーパ度が、ロータブレード（１）の他方の側面（４）の少なくとも１個の折曲部（１２）の形状で、ロータブレード後縁（２）に向かう方向に増大し、更に、ロータブレード（１）のテーパ度が、テーパ度が増大する少なくとも１個の折曲部（１２）の両側で一定のままであることにより、ロータブレード（１）の運転中に発生する騒音を低減するようにしたロータブレード。
【請求項２】
少なくとも１個の折曲部（１２）がロータブレード後縁（２）に大略平行に延在する請求項１に記載のロータブレード。
【請求項３】
３個の折曲部（１２）が設けられた請求項１又は２に記載のロータブレード。
【請求項４】
ロータブレード（１）が、加圧側面と吸引側面を有し、又、少なくとも１個の折曲部（１２）が吸引側面（４）だけに設けられた請求項２又は３に記載のロータブレード。
【請求項５】
ロータブレード後縁部（１４）の大略平坦な一方の側面（６)が、他方の側面（４）と、ロータブレード後縁（２）から見てロータブレード前縁に向かう方向に徐々に鋭くなる角度（α、β、γ）をはさむ請求項１に記載のロータブレード。
【請求項６】
請求項１乃至５のいずれかに記載のロータブレード(１)を少なくとも１個有するロータを備える風力エネルギー装置。
【発明の詳細な説明】
【０００１】
本発明は、ロータブレード後縁を備えると共にロータブレード後縁に向けてテーパ付けされたロータブレードを有する風力エネルギー装置に関する。
【０００２】
多くの形態の風力エネルギー装置用ロータブレードが知られている。残念ながら、公知の多くのロータブレードは、約５−６ｍ／秒の風力での風力エネルギー装置の運転において、僅かとは言えない騒音を僅かとは言えない程度まで発生するという問題を抱えている。従来発生した騒音は、とりわけ、風力エネルギー装置がその騒音量のために広範な階層の社会及び住民からの反対を受けることを意味する。その結果として、風力エネルギー装置の設置を許可する責任を有する当局が、騒音も環境公害とみなす環境的配慮からこのような許可を拒絶するので、風力エネルギー装置は、時には受入れの困難に遭遇したり、又は、全く受入れられない。それゆえに、騒音の理由により、特に居住家屋の近傍では、法的規定を満たすと共に風力エネルギー装置の受入れを増すために、発生騒音の上記の相当なレベルを低減することが望ましい。
【０００３】
従って、本発明の目的は風力エネルギー装置の発生騒音レベルを低減することである。
【０００４】
この目的は、ロータブレード後縁の領域におけるロータブレードのテーパ度がロータブレード後縁に向かう方向で増大すると共に、ロータブレードの少くとも該領域において階段状段部がロータブレードに全く設けられていない冒頭に記述した型式の本発明にかかるロータブレードにより達成される。
【０００５】
本発明の特に有利な実施形態は、ロータブレードのテーパ度がロータブレード後縁に向かう方向で所定間隔で増大することに特徴がある。この場合、ロータブレードの後縁部、即ち、ロータブレード後縁に隣接する部分の断面内の折曲部が、夫々、その間隔で形成されると共に、折曲部の間においてロータブレードの後縁部は大略平坦であることが特に好ましい。本発明のこの形態において、折曲部の間に位置する平面が互いに非常に浅い角度を形成するので、全体として殆ど凸状湾曲面の形状がロータブレードの後縁部の断面に結果として生じる。
【０００６】
本発明にかかるロータブレードの別の有利な実施形態においては、３個の折曲部がロータブレード後縁に大略平行に延在するように形成される。この実施形態は、ロータブレードの折曲部の製造費と、稼動中のロータブレードの騒音レベルの望ましい明白な減少との間の最適な妥協点を表す。
【０００７】
折曲部の形状で互いに隣接すると共にロータブレード後縁に向かう方向にロータブレードのテーパを形成する傾斜平面が、ロータブレードの一方の側面にだけ形成されることが特に好ましい。この場合、加圧側面と吸引側面を有するロータブレードの吸引側面にだけ折曲部を形成することが有利である。このようにして、発生騒音レベルの特に明白な減少が生じる。この時、ロータブレードの吸引側面の折曲部の間に位置する平面がロータブレードの加圧側面と形成する鋭角は、徐々により鋭くなるのが望ましいことが判明した。角度の大きさの減少は、ロータブレード後縁からロータブレードの前縁に向かう方向に生じる。ロータブレード後縁に最も近接して配置された、吸引側面の平面部分は、平坦な加圧側面と殆ど鋭いロータブレード後縁を形成する。
【０００８】
本発明にかかるロータブレードを設けた風力エネルギー装置は、個々のロータブレードの発生騒音を減少することにより、全体として発生する騒音レベルの明白な減少を示す。これにより、本発明にかかる風力エネルギー装置は、住民に対する騒音公害を明白に低減する。従って、本発明にかかる風力エネルギー装置は、従来の風力エネルギー装置の上述の欠点を相当に解消する一方、風力エネルギー装置の住民による受入れを増すと共に、存続する騒音予防条件をより容易に満たす。
【０００９】
本発明の別の有利な実施形態は、従属請求項に記載されている。
【００１０】
以下に、本発明を添付の図面に図示された実施形態を参照してより詳しく説明する。
図１は、本発明の一実施形態にかかるロータブレード１を示す。図１には、ロータブレード後縁２に隣接する、ロータブレードの後部のみが図示されている。ロータブレード１の２側面、即ち、図１の上部に示す吸引側面４と図１の下部に示す加圧側面６はロータブレード後縁２において交わる。ロータブレード１の２側面は鋭角αで交わる。角度αは、ロータブレード１の大略平坦な加圧側面６を含む平面８と傾斜平面ａによって形成される。平面ａは、ロータブレード１の吸引側面４の部分４ａを含み、更に、部分４ａは、ロータブレード後縁２に直接隣接している。
【００１１】
それゆえに、大略平坦に形成された部分４ａは、領域Ａにおいてロータブレード後縁２に向かうロータブレード１のテーパ度を決定する。吸引側面４の部分４ｂは、無段階で、即ち、階段状段部を形成せずに、部分４ａに接続する。領域Ｂは、平面８と角度βを形成する平面ｂの一部である。吸引側面４の部分４ｂが、部分４ａと平面８の間の場合よりも鋭い角度を加圧側面６とはさむように、角度βは角度αより小さい。それゆえに、図１の領域Ｂにおいて、ロータブレード１のテーパ度は部分４ｂの傾斜によって決定される。部分４ｂの領域Ｂのテーパ度は、部分４ａの領域Ａより小さい。しかしながら、夫々の領域ＢとＡの各々において、吸引側面４の部分４ｂと４ａ自身が大略平坦であるので、テーパ度は殆ど一定である。
【００１２】
同様に吸引側面４の傾斜平面として形成された部分４ｃが、再び上記の意味で無段階でロータブレード前縁（不図示）へ向かう方向で部分４ｂに接続される。部分４ｃは、平面８と角度γを形成する平面ｃの一部である。角度γは、次に、角度βより小さい。寸法が吸引側面４の部分４ｃの長さによって決定される、ロータブレード１の領域Ｃも、同様にロータブレード１の殆ど一定のテーパ度を有する。これは、部分４ｃと、領域Ｃにおいて反対側に位置する加圧側面６も同様に大略平坦であるからである。
【００１３】
ロータブレード後縁２から見て、部分４ｄが、再び無段階で部分４ｃに接続される。部分４ａ乃至４ｃに関する上記説明は同様に部分４ｄに当てはまる。加圧側面６と徐々により鋭い角度をはさむ、吸引側面４内の傾斜平面の上記連続配置を、ロータブレード１に対する要求に応じて任意に続け得る。この点に関して、図面は明確化のために強く誇張して実際の比率を描写していることを強調しなければならない。
【００１４】
図２には、より明確化するために、図１の部分１０が拡大して図示されている。図２から、部分４ａと部分４ｂの間に階段状段部の形状の段差が全く存在せずに、部分４ａと部分４ｂが吸引側面４内の折曲部１２において互いに隣接することが特に明らかであろう。同様に、部分４ａと加圧側面６の間の角度αが、吸引側面４の部分４ｂと加圧側面６の間にはさまれる角度βより大きいことが明らかである。
【図面の簡単な説明】
【図１】  本発明の一実施形態にかかるロータブレードの、ロータブレード後縁に向かう後部の断面図である。
【図２】  図１の部分図である。
【符号の説明】
１  ロータブレード
２  ロータブレード後縁
４  吸引側面
６  加圧側面
８  平面
１０  部分
１２  折曲部
１４  ロータブレード後縁部
【図１】
0003920025.tif 000002
【図２】
0003920025.tif 000003